(57)【要約】【課題】第１の移動端末の使用者が存在する領域に第２の移動端末の使用者が所定期間以上存在することを、第１の移動端末に関する端末に通知することが可能な端末監視システムを提供する。【解決手段】監視サーバ４は、無線端末２−１〜２−Ｎから、無線端末２−１〜２−Ｎそれぞれの位置情報を、時刻とともに受信する。また、監視サーバ４は、各無線端末２の位置情報と時刻とに基づいて、ある無線端末２と同じ所定の範囲内の場所に、所定期間存在している別の無線端末２を特定する。さらに、監視サーバ４は、無線端末＃１に対し、無線端末＃２が特定された場合に、その旨を示す通知を送信する。【選択図】図１
2011228838.tif 000002
【特許請求の範囲】
【請求項１】
複数の移動端末それぞれの位置情報およびその位置情報が得られた時刻に基づいて、所定期間以上、前記複数の移動端末のうちの第１の移動端末が存在する所定の範囲の領域に前記複数の移動端末のうちの第２の移動端末が存在する場合に、前記第２の移動端末を特定する端末特定手段と、
前記端末特定手段によって前記第２の移動端末が特定された場合に、前記第１の移動端末に関する所定の端末にその旨を通知する通知手段と
を有する端末監視システム。
【発明の詳細な説明】
【技術分野】
【０００１】
本発明は、端末監視システムに関する。
【背景技術】
【０００２】
例えば、特許文献１は、ＧＰＳ（Global Positioning System）機能搭載の携帯型通信装置の位置を検索し、所在確認要求があった場合に位置情報を提供する防犯・防災情報システムを開示する。
【先行技術文献】
【特許文献】
【０００３】
【特許文献１】特開２００５−２５１０８８号公報
【発明の概要】
【発明が解決しようとする課題】
【０００４】
本発明は、上述した背景からなされたものであり、第１の移動端末の使用者が存在する領域に第２の移動端末の使用者が所定期間以上存在することを、第１の移動端末に関する所定の端末に通知することが可能な端末監視システムを提供することを目的とする。
【課題を解決するための手段】
【０００５】
本発明に係る端末監視システムは、複数の移動端末それぞれの位置情報およびその位置情報が得られた時刻に基づいて、所定期間以上、前記複数の移動端末のうちの第１の移動端末が存在する所定の範囲の領域に前記複数の移動端末のうちの第２の移動端末が存在する場合に、前記第２の移動端末を特定する端末特定手段と、前記端末特定手段によって前記第２の移動端末が特定された場合に、前記第１の移動端末に関する所定の端末にその旨を通知する通知手段とを有する。
【発明の効果】
【０００６】
本発明に係る端末監視システムによれば、第１の移動端末の使用者が存在する領域に第２の移動端末の使用者が所定期間以上存在することを、第１の移動端末に関する所定の端末に通知することできる。
【図面の簡単な説明】
【０００７】
【図１】本発明の実施形態にかかる端末監視システムの構成を示す図である。
【図２】図１に示した無線端末の構成を示す図である。
【図３】図１に示した監視サーバの構成を示す図である。
【図４】図３（Ｃ）に示した無線端末、時刻および領域の関係を例示した図である。
【図５】監視サーバと無線端末等との通信における処理を示す通信シーケンス図である。
【発明を実施するための形態】
【０００８】
以下、本発明の実施形態を説明する。
【０００９】
図１は、本発明の実施形態にかかる端末監視システム１の構成を示す図である。
図１に示すように、端末監視システム１は、携帯電話等の無線端末（移動端末）２−１〜２−Ｎ（Ｎは、２以上の整数。但し、Ｎが常に同じ数であるとは限らない）との間で通信を行う基地局１１２と、基地局１１２を制御する基地局制御装置１１４と、監視サーバ４と、ＰＣ等の固定端末１２０とが、コアネットワーク１０２、インターネット１００を介して接続されて構成される。
コアネットワーク１０２には、固定電話（図示せず）を接続する電話網１０４が接続されている。
なお、以下、無線端末２−１〜２−Ｎなど、複数ある構成部分のいずれかを特定せずに示すときには、単に、無線端末２などと略記することがある。
また、以下、単に、無線端末２−１を、無線端末＃１（または端末＃１）、無線端末２−２を、無線端末＃２（または端末＃２）などと記載することがある。
【００１０】
無線端末２は、基地局１１２とデータの送受信を行う。
また、無線端末２は、ＧＰＳ衛星１０からのＧＰＳ信号を用いて、自己の物理的な位置を示す位置情報を、時刻とともに取得することができる。
つまり、無線端末２は、ある時刻における自身の無線端末２の位置情報を取得する。
【００１１】
監視サーバ４は、無線端末２−１〜２−Ｎから、無線端末２−１〜２−Ｎそれぞれの位置情報を、時刻とともに受信する。
また、監視サーバ４は、各無線端末２の位置情報と時刻とに基づいて、ある無線端末２（例えば無線端末＃１）と同じ所定の範囲内の場所に、所定期間存在している別の無線端末２（例えば無線端末＃２等）を特定する。
さらに、監視サーバ４は、無線端末＃１に対し、無線端末＃２が特定された場合に、その旨を示す通知（他端末特定通知）を送信する。
【００１２】
なお、監視サーバ４は、無線端末＃１の代わりに、無線端末＃１の使用者に関する固定端末１２０、または無線端末＃１の使用者に関する別の無線端末２（例えば無線端末＃Ｘ）に対して、他端末特定通知を無線端末＃１の識別情報とともに送信してもよい。
なお、監視サーバ４は、無線端末＃１等に対し他端末特定通知を送信する際に、特定された無線端末＃２の位置情報を、併せて送信してもよい（つまり、他端末特定通知は、特定された無線端末＃２の位置情報を含みうる）。
【００１３】
無線端末２（無線端末＃１）は、監視サーバ４から他端末特定通知を受信した場合に、警報音または振動を発生させ、それによって、無線端末＃１の使用者は、他端末特定通知を受信したことを認識できる。
さらに、無線端末２（無線端末＃１）は、監視サーバ４から特定された無線端末＃２の位置情報を受信した場合に、その無線端末＃２の位置情報を、無線端末＃１の位置情報とともにディスプレイ等に表示してもよい。
【００１４】
固定端末１２０または無線端末＃１の使用者に関する別の無線端末２（無線端末＃Ｘ）は、例えば無線端末＃１の使用者の家族または警備会社等の端末であって、監視サーバ４から他端末特定通知を受信した場合に、警報音または振動を発生させ、それによって、固定端末１２０の使用者は、無線端末＃１に関する他端末特定通知を受信したことを認識できる。
さらに、固定端末１２０または無線端末＃１の使用者に関する別の無線端末２（無線端末＃Ｘ）は、監視サーバ４から特定された無線端末＃２の位置情報を受信した場合に、その無線端末＃２の位置情報を、無線端末＃１の位置情報とともにディスプレイ等に表示してもよい。
【００１５】
図２は、図１に示した無線端末２の構成を示す図であり、（Ａ）はハードウェア構成を示し、（Ｂ）はソフトウェア構成を示す。
図２（Ａ）に示すように、無線端末２は、無線用アンテナ２０２、ＧＰＳ用アンテナ２０４、受信部２０６、送信部２０８、ＧＰＳ信号受信部２１０、制御部２１２、記憶部２１４、入出力部２１６、および振動部２１８から構成される。
【００１６】
受信部２０６は、無線用アンテナ２０２を介して基地局１１２から無線信号を受信し、送信部２０８は、無線用アンテナ２０２を介して基地局１１２に対して無線信号を送信すする。
ＧＰＳ信号受信部２１０は、ＧＰＳ用アンテナ２０４を介してＧＰＳ衛星１０からＧＰＳ信号を受信する。
制御部２１２は、通信に伴う信号処理および制御を行う。
【００１７】
記憶部２１４は、図２（Ｂ）に示す端末ソフトウェア２２等の処理プログラムと、通信に伴うデータおよびパラメータとを記憶する。
入出力部２１６は、例えばテンキーおよびマイク等の入力装置、および、ディスプレイ、ＬＥＤおよびスピーカ等の出力装置であって、使用者からの操作および音声等を受け入れ、制御部２１２の制御によって画像を表示し音声等を出力する。
振動部２１８は、制御部２１２の制御によって振動を発生させる。
【００１８】
図２（Ｂ）は、無線端末２において動作する端末ソフトウェア２４を示す。
図２（Ｂ）に示すように、端末ソフトウェア２４は、物理層制御部２４０、プロトコルスタック制御部２４２、アプリケーション部２４６、アイドルタスク２４８およびＧＰＳ受信機能部２５０から構成される。
端末ソフトウェア２４は、記憶部２１４にロードされ、図２（Ａ）に示した無線端末２のハードウェア資源を具体的に利用して実行される。
端末ソフトウェア２４において、物理層制御部２４０は、通信プロトコルの物理層に関する処理を行う。
【００１９】
プロトコルスタック制御部２４２は、通信プロトコルのプロトコルスタック（データリンク層およびネットワーク層など）に関する処理を行う。
アプリケーション部２４６は、通信モジュールの制御を行う。
アイドルタスク２４８は、アイドル時にソフトウェアが正常に動作しているか否かを、タイマを用いて監視する。タイマがタイムアップすると、アイドルタスク２４８の制御によって、ハードウェアがリセットされる。
ＧＰＳ受信機能部２５０は、ＧＰＳ信号を受信し、位置情報に関する処理を行い、位置情報を取得する。
【００２０】
図３は、図１に示した監視サーバ４の構成を示す図であり、（Ａ）はハードウェア構成を示し、（Ｂ）はソフトウェア構成を示す。また、（Ｃ）は（Ｂ）に示した監視プログラム４０において処理される監視用テーブルである。
図３（Ａ）に示すように、監視サーバ４は、ＣＰＵ１５２およびメモリ１５４などを含む本体１５０、キーボードおよび表示装置などを含む入出力装置１５６、他の装置との通信を行う通信装置１５８、および、ＣＤ装置およびＨＤＤ装置など、記録媒体１６２に対するデータの記録および再生を行う記録装置１６０から構成される。
つまり、監視サーバ４は、情報処理および他の装置との通信が可能なコンピュータとしてのハードウェア構成部分を有している。
【００２１】
図３（Ｂ）は、監視サーバ４において動作する監視プログラム４０を示す。
図３（Ｂ）に示すように、監視プログラム４０は、通信処理部４０２、位置情報取得部４０４、位置情報格納部４０６、端末特定部４０８、および通知部４１０から構成される。
監視プログラム４０は、メモリ１５４にロードされ、図３（Ａ）に示した監視サーバ４のハードウェア資源を具体的に利用して実行される。
監視プログラム４０において、通信処理部４０２は、ネットワーク１００等を介して無線端末２との間で通信を行うために必要な処理を行う。
位置情報取得部４０４は、各無線端末２から、その無線端末２の位置情報を時刻とともに取得する。
位置情報格納部４０６は、無線端末２から取得した位置情報を、図３（Ｃ）に示す監視用テーブルを用いて格納する。
【００２２】
図３（Ｃ）は、位置情報格納部４０６に格納される監視用テーブルを例示する図である。
図３（Ｃ）に示すように、位置情報格納部４０６は、各無線端末２からの位置情報を、各無線端末２と時刻とを関連付けて格納する。
このとき、位置情報格納部４０６は、その位置情報がどの所定の範囲の領域（エリアＡ〜Ｄなど）に対応するかを判断し、ある時刻に無線端末がその領域（エリア）に存在したことを示すように、監視用テーブルを格納する。
【００２３】
例えば、無線端末＃１は、時刻＃１においてエリアＡに含まれる位置情報に対応する位置に存在し、時刻＃２においてエリアＢに含まれる位置情報に対応する位置に存在する。
また、例えば、無線端末＃４は、時刻＃１においてエリアＡに含まれる位置情報に対応する位置に存在し、時刻＃２〜＃４においてエリアＢに含まれる位置情報に対応する位置に存在する。
なお、図３（Ｃ）に例示したエリアＡ〜Ｄなどは、例えば、市町村等の地理上の区画であってもよく、緯度経度等により任意にマトリックス状に区切られた領域であってもよく、任意の地点を中心とした半径数１０ｍ以内の領域であってもよく、または各基地局１１２のセルであってもよい。
【００２４】
端末特定部４０８は、たとえば監視用テーブルを使用して、所定の無線端末（例えば無線端末＃１）と同じ所定の範囲の領域に、所定期間存在している他の無線端末２があるか否かを判断し、ある場合はその無線端末２（例えば無線端末＃２）を特定する。
たとえば、所定期間が時刻＃１〜時刻＃４の時間に対応する期間である場合について例示する。
端末特定部４０８は、時刻＃４において、時刻＃４，＃３，＃２，＃１のときに無線端末＃１と同じ領域に存在した無線端末２があるか否かを判断する。
【００２５】
図４は、図３（Ｃ）に示した無線端末、時刻および領域（エリア）の関係を例示した図である。
図３（Ｃ）に示した例では、時刻＃１において、無線端末＃１〜＃４が、同一領域であるエリアＡに存在しており、時刻＃２においても、無線端末＃１〜＃４が、同一領域であるエリアＢに存在している（図４（Ａ））。
また、時刻＃３において、無線端末＃１〜＃３が、同一領域であるエリアＣに存在しており（図４（Ｂ））、時刻＃４において、無線端末＃１，＃２が、同一領域であるエリアＤに存在している（図４（Ｃ））。
【００２６】
つまり、無線端末＃２が、時刻＃１〜時刻＃４にかけて、無線端末＃１と同じ領域（エリアＡ〜Ｄ）に存在していた、言い換えれば、無線端末＃２が時刻＃１〜時刻＃４にかけて、無線端末＃１と同一の領域（エリア）を移動していたと判断される。
したがって、端末特定部４０８は、無線端末＃１と同じ所定の範囲の領域に所定期間存在した他の無線端末２として、無線端末＃２を特定する。
この場合、端末特定部４０８は、通知部４１０に対し、特定した無線端末＃２の識別情報と、無線端末＃２の現在の位置情報とを出力する。
通知部４１０は、端末特定部４０８からの無線端末＃２の識別情報と現在の位置情報とを含む他端末特定通知を、無線端末＃２または予め指定された端末（固定端末１２０または無線端末＃Ｘ等）に対して、通知処理部４０２およびインターネット１００等を介して送信する。
【００２７】
図５は、監視サーバ４と無線端末２等との通信における処理（Ｓ１０）を示す通信シーケンス図である。
図５に示すように、ステップ１００−１〜１００−３（Ｓ１００−１〜Ｓ１００−３）において、監視サーバ４は、無線端末２−１〜２−３から、これらの現在の位置情報を受信する。
ステップ１０２（Ｓ１０２）において、監視サーバ４は、各無線端末２の位置情報と時刻とに基づいて、ある無線端末２（例えば無線端末＃１）と、所定期間、同一の領域を移動した別の無線端末２（例えば無線端末＃２）を特定する。
ステップ１０４（Ｓ１０４）において、監視サーバ４は、他端末特定通知を、無線端末＃２、または予め指定された固定端末１２０または無線端末２−Ｘに対して送信する。
【００２８】
以上説明したように、本実施形態にかかる端末監視システム１は、第１の移動端末（無線端末＃１）と同じ所定の範囲内の場所に所定期間存在している第２の移動端末（無線端末＃２）が特定された場合に通知を行うことができる。
したがって、本実施形態にかかる端末監視システム１は、無線端末＃１の使用者を尾行する者の存在を、無線端末＃１の使用者およびその関係者、または警察等の監視者等に容易に通知することができる。
【産業上の利用可能性】
【００２９】
本発明は、端末監視システムに利用可能である。
【符号の説明】
【００３０】
１・・・端末監視システム，
２−１〜２−Ｎ・・・無線端末，１２０・・・固定端末，４・・・監視サーバ，４０・・・監視プログラム，４０２・・・通信処理部，４０４・・・位置情報取得部，４０６・・・位置情報格納部，４０８・・・端末特定部，４１０・・・通知部，
【図１】
2011228838.tif 000003
【図２】
2011228838.tif 000004
【図３】
2011228838.tif 000005
【図４】
2011228838.tif 000006
【図５】
2011228838.tif 000007